(57)【特許請求の範囲】
【請求項１】
冷凍装置に使用される凝縮器及び送風機を内蔵した天面がほぼ平坦な冷凍機器の梱包装置において、前記冷凍機器の天部両側の各々の角部を覆う各角包装体及び、天部中央の短手方向を跨って覆う包装体とで、冷凍機器の天面が部分的に露出するように覆い、これら各角包装体と下側の長手方向のフレームを覆う包装体とを、締付バンドにより冷凍機器に固定すると共に、天部中央の短手方向を跨って覆う包装体と下側の長手方向のフレームを覆う包装体とを、締付バンドにより冷凍機器に固定したことを特徴とする冷凍機器の梱包装置。
【請求項２】
冷凍装置に使用される圧縮機等を下側に配置し、上側には凝縮器及び複数の送風機を箱体内に配置し、送風機のファンガードが箱体の天面から突出している冷凍機器の梱包装置において、前記ファンガードとファンガード間の冷凍機器の天部短手方向を跨って覆う包装体と、前記箱体下側のパレットとを締付バンドにより冷凍機器に固定すると共に、前記箱体の左右側面を覆う包装体を締付バンドにより冷凍機器に固定したことを特徴とする冷凍機器の梱包装置。
【請求項３】
前記包装体は段ボール板であることを特徴とする請求項１又は請求項２に記載の冷凍機器の梱包装置。
【請求項４】
冷凍装置に使用される凝縮器及び送風機を内蔵し、更に脚を有する冷凍機器の梱包装置において、前記脚の下部には短手方向の脚同士のみを板材にて連結固定したことを特徴とする請求項１乃至３の何れか１項に記載の冷凍機器の梱包装置。
【請求項５】
前記冷凍機器の短手方向の上部側面に吊具を係止するための孔を有する吊下げ金具をボルトにて着脱可能としたことを特徴とする請求項１乃至請求項４の何れか１項に記載の冷凍機器の梱包装置。
【請求項６】
前記吊下げ金具は鋼鈑製の長方形で、一部を折り曲げた略くの字形状であることを特徴とする請求項５に記載の冷凍機器の梱包装置。
【請求項７】
前記吊下げ金具は、冷凍機器の梱包時に吊下げに使用する形態と１８０度回転させた状態で備えたことを特徴とする請求項５又は請求項６に記載の冷凍機器の梱包装置。
【請求項８】
前記吊下げ金具は、緩衝材を介した状態で冷凍機器に備えたことを特徴とする請求項５乃至請求項７の何れか１項に記載の冷凍機器の梱包装置。
【発明の詳細な説明】
【０００１】
【発明の属する技術分野】
本発明は、冷凍装置に使用される凝縮器及び送風機等を内蔵した冷凍機器の梱包装置に関するものである。
【０００２】
【従来の技術】
従来、冷凍装置に使用される凝縮器及び送風機等を内蔵した冷凍機器の梱包は、図５，図６に示すように、冷凍機器１の本体下側に板材からなるフォークリフトの爪が挿入可能な箱型のパレット２を用い、周囲側面及び天面を透かしの木枠３で覆ったようなものが知られていた。
【０００３】
また、梱包装置を外した冷凍機器１の搬送には、図７に示すような冷凍機器の天面に吊下げ金具４をボルト５にて固定して、ロープ掛けにより吊下げて搬送するようなものが知られていた。
【０００４】
【発明が解決しようとする課題】
地球環境保護の観点から梱包資材の使用量低減が要求されてきており、更にリサイクルし易い材料を使用することが望まれている。ところが、木枠の梱包では、製品の移動や輸送の後、解梱する場合、取り外し作業が煩雑になり、作業時間がかかる。さらにこの梱包材を廃棄する場合、木材で構成した梱包は重く、処分するのに不便である。
【０００５】
また、天面に吊下げ金具をボルトにて固定する仕様では、吊下げ金具を冷凍機器に備えた場合天面の突起物となり、保管の際は積み重ねによる収納に支障をきたす問題点があった。
【０００６】
本発明は、従来の梱包で使用されていた、釘などの接合材の使用を極力減らし、解梱にかかる作業や廃棄にかかる手間と時間を削減すると共にリサイクルし易くすることを目的とするものである。
【０００７】
【課題を解決するための手段】
上記課題を解決するため、請求項１にかかる発明は、冷凍装置に使用される凝縮器及び送風機を内蔵した天面がほぼ平坦な冷凍機器の梱包装置において、前記冷凍機器の天部両側の各々の角部を覆う各角包装体及び、天部中央の短手方向を跨って覆う包装体とで、冷凍機器の天面が部分的に露出するように覆い、これら各角包装体と下側の長手方向のフレームを覆う包装体とを、締付バンドにより冷凍機器に固定すると共に、天部中央の短手方向を跨って覆う包装体と下側の長手方向のフレームを覆う包装体とを、締付バンドにより冷凍機器に固定した構成を備えることによって、梱包材の使用量を低減するものである。
【０００８】
請求項２にかかる発明は、
冷凍装置に使用される圧縮機等を下側に配置し、上側には凝縮器及び複数の送風機を箱体内に配置し、送風機のファンガードが箱体の天面から突出している冷凍機器の梱包装置において、前記ファンガードとファンガード間の冷凍機器の天部短手方向を跨って覆う包装体と、前記箱体下側のパレットとを締付バンドにより冷凍機器に固定すると共に、前記箱体の左右側面を覆う包装体を締付バンドにより冷凍機器に固定した構成を備えることによって、梱包材の使用量を低減するものである。
【０００９】
請求項３にかかる発明は、前記包装体は段ボール板である構成を備えることによって、廃棄にかかる手間と時間を削減するものである。
【００１０】
請求項４にかかる発明は、冷凍装置に使用される凝縮器及び送風機を内蔵した脚を有する冷凍機器の梱包装置において、前記脚の下部には短手方向の脚を板材にて連結固定した構成を備えることによって、梱包材の使用量を低減するものである。
【００１１】
請求項５にかかる発明は、冷凍装置に使用される凝縮器及び送風機を内蔵した冷凍機器の梱包装置において、前記冷凍機器の短手方向の上方側面に吊具を係止するための孔を有する吊下げ金具をボルトにて着脱可能とした構成を備えることによって、天面の突起を削減するものである。
【００１２】
請求項６にかかる発明は、前記吊下げ金具は鋼鈑製の長方形で、一部を折り曲げた略くの字形状である構成を備えることによって、製造を容易にするものである。
【００１３】
請求項７にかかる発明は、前記吊下げ金具は、冷凍機器の梱包時に吊下げに使用する形態と１８０度回転させた状態で冷凍機器に備えることによって、梱包に影響無く付属させることができるものである。
【００１４】
請求項８にかかる発明は、前記吊下げ金具は、緩衝材を介した状態で冷凍機器に備えることによって、冷凍機器表面の傷発生を防止するものである。
【００１５】
更に、冷凍装置に使用される凝縮器及び送風機を内蔵した天面がほぼ平坦な冷凍機器の梱包装置において、前記冷凍機器の天部両側の角部を覆う角包装体には、吊下げ金具に対応する位置に切欠を設けた場合、冷凍機器と角包装体の密着性を高めるものである。
【００１６】
【発明の実施の形態】
本発明の実施の形態を図面を参照して説明する。なお、従来と同一構成に関しては同一符号を用いる。
【００１７】
図１は、本発明の冷凍機器の梱包状態の一例を示す斜視図であり、冷凍装置に使用される凝縮器１０及び、図示しない送風機を内蔵し、天面がほぼ平坦に形成されている比較的軽量の冷凍機器１を、天部両側の角部を覆う角包装体１１及び、天部中央の短手方向を跨って覆う包装体１２と、下側の長手方向のフレーム１５を覆う包装体１３とを締付バンド１４により冷凍機器１に固定しており、脚１６の下部には、短手方向の脚を板材１７にて木ねじ１８等により連結固定した構成を備えている。
【００１８】
ここで、角包装体１１はダンボール製の梱包材からなり、一枚の凸形状を３箇所の折り線１５部で図に示すように折り曲げ、２面が開放された箱型に形成されている。
【００１９】
また、天部中央の短手方向を跨って覆う包装体１２は同様にダンボール製の梱包材からなり、一枚の長方形状に４箇所の切線１６で切込みを入れ、その内側に構成した４箇所の折り線１５部で図に示すように折り曲げた形状としている。
【００２０】
更に、フレーム１５を覆う包装体１３は同様にダンボール製の梱包材からなり、一枚の長方形状でフレーム１５の周りに巻きつけた構成としている。
【００２１】
このように構成された冷凍機器における梱包では、使用している主な梱包材がダンボールであり、従来の木枠梱包と比較して梱包材の使用量及び重量低減ができ、釘などの接合材の使用を極力減らし、解梱にかかる作業や廃棄にかかる手間と時間を削減すると共にリサイクル性も向上させることが可能となる。
【００２２】
また、冷凍機器の天面は部分的に露出していることから、荷役作業者に対して冷凍機器の上に乗れないことを知らしめる効果が得られ、脚の下部には板材を備えているので保管の際は積み重ねによる収納も可能であることから、作業性，安全性を向上させながら最小限のコストで梱包及び保管が可能となる。
【００２３】
図２は、本発明の冷凍機器の梱包状態の別の例を示す斜視図であり、冷凍装置に使用される図示しない圧縮機等を下側に、凝縮器及び送風機を上側の箱体内に配置して、送風機のファンガード１８が箱体の天面から突出している比較的重量の冷凍機器１を、箱体両側の短手方向角部を覆う角包装体１１及び、天面ファンガード１８間の凹部天面を覆う包装体１２と、箱体下側のパレット２とを締付バンド１４により冷凍機器１に固定した構成を備えている。
【００２４】
ここで、角包装体１１はダンボール製の梱包材からなり、一枚の長方形状を２箇所の折り線１５部で図に示すように折り曲げ、コの字形の形状に形成されている。また、天面を覆う包装体１２は同様にダンボール製の梱包材からなり、一枚の長方形状に４箇所の切線１６で切込みを入れ、その内側に構成した４箇所の折り線１５部で図に示すように折り曲げた形状としている。
【００２５】
このように構成された冷凍機器における梱包では、使用している主な梱包材がダンボールであり、従来の木枠梱包と比較して梱包材の使用量及び重量低減ができ、釘などの接合材の使用を極力減らし、解梱にかかる作業や廃棄にかかる手間と時間を削減すると共に、リサイクル性も向上させることが可能となる。
【００２６】
また、冷凍機器の天面ファンガードは露出していることから、荷役作業者に対して冷凍機器の上に乗れないことを知らしめる効果が得られ、作業性，安全性を向上させながら最小限のコストで梱包が可能となる。
【００２７】
図３は、本発明の吊金具を使用した冷凍機器の搬送例を示す要部斜視図であり、この冷凍機器１は、凝縮器１０及び、図示しない送風機を内蔵した比較的軽量の機器で、屋上等の高所に設置される例が多く、その搬送にはロープ掛けにより吊下げて行なわれる。
【００２８】
そこで、冷凍機器１の短手方向の上方側面に吊具を係止するための孔１９を有する吊下げ金具４をボルト５にて着脱可能な状態で固定して、ロープ掛けにより吊下げて搬送可能としている。
【００２９】
これにより、従来の冷凍機器が天面に吊下げ金具をボルトにて固定する場合と比較して、天面の突起を削減でき、保管の際の積み重ねによる収納を可能とすることができる。
【００３０】
また、吊下げ金具４は鋼鈑製の長方形で、一部を折り曲げた略くの字形状である構成を備えることによって、取付けボルト孔及びロープ掛けの係止孔の加工と、折り曲げ加工がプレス等により容易に製造でき、低コストの吊下げ構造を提供することが可能になる。
【００３１】
更に、吊下げ金具の取付けには、リサイクルし易いダンボール等の緩衝材を介した状態で冷凍機器に備えることによって、吊下げ金具の取付，取外し作業や、吊下げ搬送の際に冷凍機器表面の傷発生を防止でき、吊下げ金具使用後の緩衝材廃棄処理も容易に行うことが可能になる。
【００３２】
また、図４は本発明の吊金具の梱包時の取付け状態を示す要部詳細図であり、吊下げ金具４は、冷凍機器１の梱包時に吊下げに使用する形態と１８０度回転させた状態で冷凍機器１に備えており、角包装体１１には、吊下げ金具４を取付けた部位を角包装体１１が覆うのを避けるための切欠２０を設けている。
【００３３】
これにより、冷凍機器と角包装体の密着性を高められることから、梱包性能に影響を与えず吊下げ金具を冷凍機器に直接付属させることができ、従来必要であった吊下げ金具用の梱包を廃止することが可能となる。また、冷凍機器の梱包の際に吊下げ金具を添付していることを容易に確認でき、輸送の際の紛失も回避することが可能となる。
【００３４】
【発明の効果】
以上説明したように請求項１の発明によれば、冷凍装置に使用される凝縮器及び送風機を内蔵した天面がほぼ平坦な冷凍機器の梱包装置において、前記冷凍機器の天部両側の各々の角部を覆う各角包装体及び、天部中央の短手方向を跨って覆う包装体とで、冷凍機器の天面が部分的に露出するように覆い、これら各角包装体と下側の長手方向のフレームを覆う包装体とを、締付バンドにより冷凍機器に固定すると共に、天部中央の短手方向を跨って覆う包装体と下側の長手方向のフレームを覆う包装体とを、締付バンドにより冷凍機器に固定した構成を備えることによって、梱包材の使用量を低減でき、解梱にかかる作業や廃棄にかかる手間と時間を削減すると共にリサイクル性も向上させることが可能になる。更に、冷凍機器の天面は部分的に露出しているため、荷役作業者に対して冷凍機器の上に乗れないことを知らしめる効果が得られる。
【００３５】
請求項２の発明によれば、冷凍装置に使用される圧縮機等を下側に配置し、上側には凝縮器及び複数の送風機を箱体内に配置し、送風機のファンガードが箱体の天面から突出している冷凍機器の梱包装置において、前記ファンガードとファンガード間の冷凍機器の天部短手方向を跨って覆う包装体と、前記箱体下側のパレットとを締付バンドにより冷凍機器に固定すると共に、前記箱体の左右側面を覆う包装体を締付バンドにより冷凍機器に固定した構成を備えることによって、梱包材の使用量を低減でき、解梱にかかる作業や廃棄にかかる手間と時間を削減すると共にリサイクル性も向上させることが可能になる。更に冷凍機器の天面ファンガードは露出していることから、荷役作業者に対して冷凍機器の上に乗れないことを知らしめる効果が得られる。
【００３６】
請求項３の発明によれば、前記包装体は段ボール板である構成を備えることによって、廃棄にかかる手間と時間を削減でき、リサイクル性も向上させることが可能になる。
【００３７】
請求項４の発明によれば、冷凍装置に使用される凝縮器及び送風機を内蔵した脚を有する冷凍機器の梱包装置において、前記脚の下部には短手方向の脚を板材にて連結固定した構成を備えることによって、梱包材の使用量を低減できると共に、廃棄にかかる手間と時間を削減することが可能になる。
【００３８】
請求項５の発明によれば、冷凍装置に使用される凝縮器及び送風機を内蔵した冷凍機器の吊下げ金具において、前記冷凍機器の短手方向の上方側面に吊具を係止するための孔を有する吊下げ金具をボルトにて着脱可能とした構成を備えることによって、天面の突起を削減でき、保管の際の積み重ねによる収納が可能になる。
【００３９】
請求項６の発明によれば、前記吊下げ金具は鋼鈑製の長方形で、一部を折り曲げた略くの字形状である構成を備えることによって、製造を容易にでき、低コストの吊下げ構造を提供することが可能になる。
【００４０】
請求項７の発明によれば、前記吊下げ金具は、冷凍機器の梱包時に吊下げに使用する形態と１８０度回転させた状態で冷凍機器に備えることによって、梱包性能に影響を与えず吊下げ金具を冷凍機器に直接付属させることが可能になる。
【００４１】
請求項８の発明によれば、前記吊下げ金具は、緩衝材を介した状態で冷凍機器に備えることによって、冷凍機器表面の傷発生を防止でき、吊下げ金具使用後の緩衝材廃棄処理も容易に行うことが可能になる。
【００４２】
また、冷凍装置に使用される凝縮器及び送風機を内蔵した天面がほぼ平坦な冷凍機器の梱包装置において、前記冷凍機器の天部両側の角部を覆う角包装体には、吊下げ金具に対応する位置に切欠を設けた場合、冷凍機器と角包装体の密着性を高めことができ、梱包の際に吊下げ金具を添付していることを容易に確認することが可能になる。
【図面の簡単な説明】
【図１】本発明の冷凍機器の梱包状態の一例を示す斜視図である。
【図２】同梱包状態の別の例を示す斜視図である。
【図３】本発明の吊金具を使用した冷凍機器の搬送例を示す要部斜視図である。
【図４】本発明の吊金具の梱包時の取付け状態を示す要部詳細図である。
【図５】従来の冷凍機器の梱包状態の一例を示す斜視図である。
【図６】同梱包状態の別の例を示す斜視図である。
【図７】従来の吊金具を使用した冷凍機器の搬送例を示す要部斜視図である。
【符号の説明】
１  冷凍機器
４  吊下げ金具
１１  角包装体
１４  締付バンド
１８  ファンガード
２０  切欠
【図１】
0003615467.tif 000002
【図２】
0003615467.tif 000003
【図３】
0003615467.tif 000004
【図４】
0003615467.tif 000005
【図５】
0003615467.tif 000006
【図６】
0003615467.tif 000007
【図７】
0003615467.tif 000008